(57)【要約】【課題】撮像装置に装備される発光装置について、収納位置から発光位置へ移動させたときに発生する衝突音や振動音等を、環境温度が変化しても、安定して低減させる。【解決手段】発光部を含み、収納位置と発光位置との間で移動可能なストロボ可動部５を備えるストロボユニット９は、第１の弾性部材２０と、第１の弾性部材よりも弾性係数が大きい第２の弾性部材２１とを備える。ストロボ可動部５は、収納位置から発光位置に移動する際に第１の弾性部材２０と当接する第１のストッパ部１０ａと第２の弾性部材と当接する第２のストッパ部１１ｃとを有し、ストロボ可動部５が収納位置から発光位置に移動する際には、第１のストッパ部１０ａが第１の弾性部材２０に当接して第１の弾性部材２０が所定量変形した後に、第２のストッパ部１１ｃが第２の弾性部材２１に当接する構成とする。【選択図】図４
2014021269.tif 000002
【特許請求の範囲】
【請求項１】
発光手段を含み、収納位置と発光位置との間で移動可能な可動部を備える発光装置であって、
第１の弾性部材と、
前記第１の弾性部材よりも弾性係数が大きい第２の弾性部材とを備え、
前記可動部は、
前記収納位置から前記発光位置に移動する際に前記第１の弾性部材と当接する第１のストッパ部と、
前記収納位置から前記発光位置に移動する際に前記第２の弾性部材と当接する第２のストッパ部とを有し、
前記可動部が前記収納位置から前記発光位置に移動する際には、前記第１のストッパ部が前記第１の弾性部材に当接して前記第１の弾性部材が所定量変形した後に、前記第２のストッパ部が前記第２の弾性部材に当接することを特徴とする発光装置。
【請求項２】
前記第１の弾性部材の弾性係数は、前記第２の弾性部材の弾性係数よりも小さいことを特徴とする請求項１記載の発光装置。
【請求項３】
前記第２の弾性部材は、前記第１の弾性部材と比べて、温度変化による弾性係数の変化が小さいことを特徴とする請求項１又は２に記載の発光装置。
【請求項４】
前記第１の弾性部材は、重ね合わされた互いに材質の異なる第１の層と第２の層とを有し、
前記第２の層は、前記第１の層よりも、温度変化による弾性係数の変化が少なく、
前記第２の弾性部材は、前記第１の層よりも、弾性係数が大きく、且つ、温度変化による弾性係数の変化が小さいことを特徴とする請求項１記載の発光装置。
【請求項５】
前記可動部を前記収納位置から前記発光位置へ、張力を用いて直進移動させるバネを備え、
前記第２の弾性部材は、前記第１の弾性部材よりも前記バネの近傍に配置されることを特徴とする請求項１乃至４のいずれか１項に記載の発光装置。
【請求項６】
前記第１の弾性部材と前記第２の弾性部材はそれぞれ、前記発光装置が撮像装置に組み込まれた際の前記撮像装置の前面側と背面側に配置されることを特徴とする請求項５記載の発光装置。
【請求項７】
前記可動部を前記収納位置から前記発光位置へ回動させる移動手段を備え、
前記第１の弾性部材と前記第２の弾性部材は、前記可動部の回動中心に対して略対称となる位置に配置されていることを特徴とする請求項１乃至４のいずれか１項に記載の発光装置。
【請求項８】
前記回動中心と前記第１の弾性部材との距離が前記回動中心と前記第２の弾性部材との距離よりも短くなるように、前記第１の弾性部材と前記第２の弾性部材が配置されていることを特徴とする請求項７記載の発光装置。
【請求項９】
前記回動中心よりも、前記発光装置が撮像装置に組み込まれた際の前記撮像装置の上面側に前記第１の弾性部材が配置され、前記撮像装置の底面側に前記第２の弾性部材が配置されていることを特徴とする請求項７記載の発光装置。
【請求項１０】
請求項１乃至９のいずれか１項に記載の発光装置を備えることを特徴とする撮像装置。
【発明の詳細な説明】
【技術分野】
【０００１】
本発明は、収納位置と発光位置との間で移動可能な発光装置を備える撮像装置に関し、特に、弾性部材の張力を用いて発光装置を収納位置から発光位置へ移動させたときに、発光装置が発光位置で停止する際の衝撃を低減する技術に関する。
【背景技術】
【０００２】
収納位置と発光位置との間で移動可能な発光装置（以下「ストロボ」という）を備えた撮像装置が知られている。ストロボの移動方法の一例として、モータを駆動源として、モータに連結されたギアによってストロボを移動させるモータ駆動方式が知られている。また、ストロボの移動方法の別の例として、発光位置の方向へ付勢させたバネ部材等の張力を用いてストロボを移動させるバネ駆動方式が知られている。いずれの駆動方法であっても、ストロボの移動態様としては、光軸方向に垂直な方向に直線的に移動する直進タイプと、所定の軸を中心として回動して移動する回動タイプの２種類が一般的である。
【０００３】
前述のいずれの構成においても、移動するストロボをカメラ本体に設けたストッパ部に衝突させてストロボを停止させる場合、その際に衝突音が発生すると共にカメラ全体で振動音や反響音が発生し、これらの音がユーザに不快感を与えてしまう。
【０００４】
そこで、例えば、移動するストロボを受け止めるカメラ本体のストッパ部にスポンジ等の弾性部材を設けて、衝突音を低減させる構造が採用されている。また、ストロボと共に移動するガイドピンを受けて停止させるストッパ部を弾性部材で構成し、このストッパ部の保持をガイドピンの移動方向の投影範囲から外すことで、衝撃がカメラ全体に伝わり難くした構造が提案されている（特許文献１参照）。
【先行技術文献】
【特許文献】
【０００５】
【特許文献１】特開２０１１−４８２４９号公報
【発明の概要】
【発明が解決しようとする課題】
【０００６】
しかしながら、上記従来技術では、ストロボの移動を回動タイプで行う場合に、使用回数が多くなるに従って生じるストッパ部の変形が、ストロボ筐体の位置精度を低下させるという問題がある。ストロボ筐体の位置精度が低下すると、被写体に対して発光する方向の角度にズレが生じることで、撮影画像の明暗にムラが発生してしまうおそれがある。一方、ストロボ筐体の位置精度を向上させようとして弾性部材の剛性をある程度高めると、高い消音性能が得られ難くなると考えられる。
【０００７】
ここで、直進タイプ、回動タイプに限らず、ストッパ部にスポンジ等の弾性部材を用いた場合、エラストマーやシリコンゴムに比べて高い消音性能が得られると考えられる。しかし、これらの材料は特に高温環境下に放置されたときの永久歪みが大きく、位置精度を出し難いという問題がある。また、より高い消音性能を求めてその厚みを厚くした場合に、この問題はより顕著になる。
【０００８】
本発明は、撮像装置に装備される発光装置について、収納位置から発光位置へ移動させたときに発生する衝突音や振動音等を、環境温度が変化しても、安定して低減させることを可能にする技術を提供することを目的とする。
【課題を解決するための手段】
【０００９】
本発明に係る発光装置は、発光手段を含み、収納位置と発光位置との間で移動可能な可動部を備える発光装置であって、第１の弾性部材と、前記第１の弾性部材よりも弾性係数が大きい第２の弾性部材とを備え、前記可動部は、前記収納位置から前記発光位置に移動する際に前記第１の弾性部材と当接する第１のストッパ部と、前記収納位置から前記発光位置に移動する際に前記第２の弾性部材と当接する第２のストッパ部とを有し、前記可動部が前記収納位置から前記発光位置に移動する際には、前記第１のストッパ部が前記第１の弾性部材に当接して前記第１の弾性部材が所定量変形した後に、前記第２のストッパ部が前記第２の弾性部材に当接することを特徴とする。
【発明の効果】
【００１０】
本発明によれば、環境温度変化の影響を受け難く、発光装置の可動部を収納位置から発光位置へ移動させたときに発生する衝突音や振動音等を、環境温度が変化しても、安定して低減することができ、しかも、撮像装置の省スペース化を実現することができる。
【図面の簡単な説明】
【００１１】
【図１】本発明の第１実施形態に係るデジタルカメラの外観斜視図である。
【図２】図１に示すストロボ可動部を含むストロボユニットの外観斜視図である。
【図３】図１のデジタルカメラの上面図と、該上面図に示す矢視Ｂ−Ｂ断面図である。
【図４】図２（ａ）に示すストロボユニットの矢視Ｃ−Ｃ断面図の第１図である。
【図５】図２（ａ）に示すストロボユニットの矢視Ｃ−Ｃ断面図の第２図である。
【図６】図２（ａ）に示すストロボユニットの、引張りバネの中央部でのｙ−ｚ断面図である。
【図７】第２実施形態に係るデジタルカメラが備えるストロボユニットの略中央部におけるｙ−ｚ断面図である。
【図８】第３実施形態に係るデジタルカメラが備えるストロボユニットのｙ−ｚ断面図である。
【発明を実施するための形態】
【００１２】
以下、本発明の実施形態について、添付図面を参照して詳細に説明する。ここでは、本発明に係る撮像装置として、所謂、コンパクトタイプのデジタルカメラを取り上げることとするが、本発明はこれに限定されるものではない。
【００１３】
《第１実施形態》
第１実施形態では、収納位置と発光位置との間で直進移動させるタイプの発光装置を備えるデジタルカメラについて説明する。ここでは、デジタルカメラは、ユニット化された発光装置がカメラ本体に装備された構造を有するものとし、以下、ユニット化された発光装置を「ストロボユニット」と称呼することとする。
【００１４】
＜デジタルカメラの外観構成＞
図１は、第１実施形態に係るデジタルカメラ１の外観斜視図である。図１（ａ）には、ストロボユニットの可動部（ストロボユニットがカメラ本体に装備された状態においてカメラ本体に対して可動な部位であり、以下「ストロボ可動部」という）５がカメラ本体に収納された状態が示されている。図１（ｂ）には、ストロボ可動部５がカメラ本体からポップアップ（突出）して、発光位置への移動が完了した状態が示されている。なお、図１（ａ）に示すように、略直方体形状を有するデジタルカメラ１に対して、幅方向（左右方向）をｘ方向、高さ方向（鉛直方向）をｙ方向、厚さ方向（前後方向）をｚ方向とした３軸直交座標系を設定し、以下の説明において、適宜、説明に使用する。
【００１５】
カメラ本体は外装カバー７によって覆われており、カメラ本体の前面略中央部にはレンズ部２が配置されており、カメラ本体の上面には、シャッターボタン３と、電源ボタン４と、ストロボ可動部５が配置されている。ストロボ可動部５は、発光部を構成するフレネルレンズ６を備える。
【００１６】
カメラ本体の上面には、ストロボ可動部５をカメラ本体からポップアップさせるためのロックレバー８が設けられている。ロックレバー８を図１（ａ）に示す矢印Ａ方向にスライドさせると、後述する不図示の引張りバネ２２（図３参照）の張力（復元力）が解放され、ストロボ可動部５がｙ方向に移動し、カメラ本体（外装カバー７）からフレネルレンズ６が露出する。なお、撮影者等は、ストロボ可動部５が発光位置にあるときにストロボ可動部５の上面をカメラ本体に対して押し付けることで、ストロボ可動部５を収納位置へ戻すことができる。
【００１７】
＜ストロボ可動部５のポップアップ機構＞
図２は、ストロボ可動部５を含むストロボユニット９の外観斜視図である。図２（ａ）は、ストロボ可動部５が収納位置にあるときの状態を示す正面斜視図である。図２（ｂ）は、ストロボ可動部５が発光位置にあるときの状態を示す背面斜視図である。図２（ｃ）は、ストロボ可動部５が発光位置にあるときの部分的な背面斜視図である。
【００１８】
ストロボユニット９において、ストロボ可動部５は、ストロボ前面側ケース１０とストロボ背面側ケース１１とからなるケースの内部に、フレネルレンズ６やキセノン管２５（図４参照）、トリガーコイル（不図示）等の内部部品が配置された構造を有する。ストロボユニット９は、コンデンサ１７と、回路基板１８と、配線材１９を有する。キセノン管２５やトリガーコイルは、配線材１９を介してコンデンサ１７や回路基板１８に結線されており、これらは発光のための電気回路を形成している。ストロボ可動部５は、前面側カバー１４と背面側カバー１５とからなるカバーの内部に移動可能に配置されており、背面側カバー１５には、コンデンサ１７と回路基板１８とが取り付けられている。
【００１９】
ストロボユニット９では、ストロボ前面側ケース１０の一部に、第１のストッパ部１０ａが設けられると共に、前面側カバー１４にクッション材からなる第１の弾性部材２０が取り付けられている。ストロボ可動部５が収納位置から発光位置へ移動する際に、第１のストッパ部１０ａが第１の弾性部材に２０に当接する。また、図３等を参照して後述するように、ストロボユニット９では、ストロボ背面側ケース１１の一部に、第２のストッパ部１１ｃが設けられている。そして、これに対応して、ストロボユニット９では、図４等を参照して後述するように、クッション材からなる第２の弾性部材２１が背面側カバー１５に取り付けられている。
【００２０】
＜ストロボ可動部５のポップアップ機構＞
図３（ａ）は、デジタルカメラ１の上面図である。図３（ｂ）は、図３（ａ）矢視Ｂ−Ｂ断面図であって、ストロボ可動部５が収納位置にあるときの状態を示している。また、図３（ｃ）は、図３（ａ）矢視Ｂ−Ｂ断面図であって、ストロボ可動部５が発光位置にあるときの状態を示している。
【００２１】
背面側カバー１５に形成されたフック部１５ａとストロボ背面側ケース１１に形成されたフック部１１ａのそれぞれに、引張りバネ２２の端部が係止されている。本実施形態では、引張りバネ２２として、コイルバネを用いており、図３（ｂ）で示す収納位置で最も伸張した状態となっている。
【００２２】
フック部１５ａは固定端であり、フック部１１ａが可動端となっている。したがって、図３（ｂ）の状態では、ストロボ可動部５には、収納位置から発光位置へ移動させる力が作用している。しかし、図３（ｂ）の状態では、ロックレバー８に形成されたロック部８ａがストロボ背面側ケース１１に形成された当接部１１ｄを押さえ込むことによって、ストロボ可動部５を収納状態に保持している。つまり、図３（ｂ）の状態にあるとき、ロックレバー８は図１（ａ）に示す状態にある。図１（ａ）に示す状態からロックレバー８を矢印Ａ方向に動かして図３（ａ）に示す位置に移動させると、ロック部８ａが当接部１１ｄから外れ、引張りバネ２２の張力によってストロボ可動部５は上昇し、発光位置へ移動して、図３（ｃ）の状態となる。
【００２３】
ストロボ可動部５が収納位置から発光位置に移動する際には、第１のストッパ部１０ａが第１の弾性部材に２０に当接した後、ストロボ背面側ケース１１に形成された第２のストッパ部１１ｃが背面側カバー１５に取り付けられた第２の弾性部材２１に当接する。これにより、ストロボ可動部５は発光位置で停止する。ストロボ可動部５が発光位置で停止する際の動作の詳細については、図４及び図５を参照して後述する。
【００２４】
背面側カバー１５にはメインガイドリブ１５ｂが形成されている。また、ストロボ背面側ケース１１には、メインガイドリブ１５ｂを挟み込むように形成された２本のガイドリブ１１ｂが形成されている。ガイドリブ１１ｂにおけるメインガイドリブ１５ｂとの摺動部には、かまぼこ状（略半円柱状）の凸形状が設けられ、これにより、接触面積を減少させて、摺動摩擦を低減している。また、ガイドリブ１１ｂにおけるメインガイドリブ１５ｂとの接触部でのクリアランスを極力小さくすることにより、ストロボ可動部５のｘ方向でのガタつきを少なくして、スムーズな可動を実現している。なお、本実施形態では、ガイドリブ１１ｂの一部（上端部）を第２のストッパ部１１ｃ及び当接部１１ｄとすることにより、部品点数の増加を回避している。
【００２５】
＜ストロボ可動部５のポップアップ動作＞
図４及び図５は、図２（ａ）に示すストロボユニット９の矢視Ｃ−Ｃ断面図であり、ストロボ可動部５が収納状態から発光位置へ移動する過程を、図４（ａ）→図４（ｂ）→図４（ｃ）→図５（ａ）→図５（ｂ）の順に示している。
【００２６】
図４（ａ）は、ストロボ可動部５が収納位置にある状態を示している。図４（ｂ）は、ストロボ可動部５の収納位置から発光位置への移動中に、第１のストッパ部１０ａが第１の弾性部材２０に当接した瞬間の状態を示している。図４（ｃ）は、ストロボ可動部５の収納位置から発光位置への移動中に、第２のストッパ部１１ｃが第２の弾性部材２１に当接した瞬間の状態を示している。図５（ａ）は、ストロボ可動部５が最も上（ｙ方向）に上がった状態を示している。図５（ｂ）は、ストロボ可動部５が発光位置で停止した状態を示している。図４及び図５では、左側がカメラ本体の前面側（被写体側）となる。
【００２７】
図４及び図５において、ライン３０は収納位置でのストロボ前面側ケース１０の上面位置を示しており、ライン３１は発光位置でのストロボ前面側ケース１０の上面位置を示している。キセノン管２５はストロボ可動部５が発光位置に停止した状態で発光し、フレネルレンズ６を通して被写体に光が照射される。
【００２８】
先述の通り、ストロボ可動部５が収納位置にあるときにロックレバー８を図１（ａ）に示す矢印Ａ方向にスライドさせると、ロックレバー８のロック部８ａがストロボ背面側ケース１１に形成された当接部１１ｄから待避し、ロックが解除される。これにより、引張りバネ２２の張力によりストロボ可動部５が上昇（発光位置への移動）を開始する。図４（ｂ）の状態では、第１のストッパ部１０ａは第１の弾性部材２０に当接しているが、第２のストッパ部１１ｃは第２の弾性部材２１には当接しておらず、また、ストロボ前面側ケース１０の上面はライン３１に到達していない。
【００２９】
図４（ｂ）の状態となった後、引張りバネ２２の張力とストロボ可動部５に生じる上昇時の慣性力により、第１の弾性部材２０の一部が第１のストッパ部１０ａによって潰され、ストロボ可動部５は更に上昇する。そして、第２のストッパ部１１ｃが第２の弾性部材２１に当接して、図４（ｃ）に示す状態となり、このとき、ストロボ前面側ケース１０の上面がライン３１を少し超えた状態となる。なお、図４（ｃ）に示す領域２０ａは、第１の弾性部材２０において潰された領域を示している。
【００３０】
図４（ｃ）の状態となった後、ストロボ可動部５は更に上昇し、第２の弾性部材２１の一部が第２のストッパ部１１ｃによって潰されて、図５（ａ）の状態となる。このとき、ストロボ可動部５は、最も大きくカメラ本体から突出（上昇）した状態となる。なお、図５（ａ）に示す領域２１ａは、第２の弾性部材２１において潰された領域を示している。図５（ａ）の状態となった後、第１の弾性部材２０と第２の弾性部材２１の反発力により、ストロボ可動部５は押し戻され、最終的には引張りバネ２２の張力と第一の弾性部材２０の反発力とが釣り合った状態で停止し、図５（ｂ）の状態となる。
【００３１】
ここで、第１の弾性部材２０と第２の弾性部材２１に用いる材料（クッション材）について検討すると、一般的に、クッション材としては、硬いものよりも柔らかいものの方が、衝撃に対する衝突音や振動音を抑制する効果が大きい。しかし、クッション材の厚みを充分に取らなければ、クッション材の弾性領域内で可動体の衝撃を完全に吸収することができず、完全に潰れてクッション性が失われた状態（所謂、ヘタリの状態）となってもまだ可動体が静止した状態にならないことがある。この場合、可動体とクッション材との衝突による衝撃音や振動音が大きくなってしまうおそれがある。また、クッション材の厚みを充分に厚くして衝撃を吸収する領域を増やした場合、クッション材の反発力と引張りバネ２２の張力とが釣り合う停止位置からのオーバーストローク（可動体が停止位置よりもクッション材側に移動する量）が大きくなる。よって、クッション材がない部分と可動体との衝突が発生することのないように、オーバーストローク分のクリアランススペースが必要となり、カメラ本体が大型化してしまうおそれがある。
【００３２】
このようなクッション材の特徴を考慮し、本実施形態では、第１の弾性部材２１には、第２の弾性部材２１よりも弾性係数の小さい材料を使用する。例えば、第１の弾性部材２０にはスポンジを使用し、第２の弾性部材２１にはシリコンゴムを使用する。これにより、第１の弾性部材２０の変形量を第２の弾性部材２１によって小さく抑えることができるため、繰り返して使用された場合でも、第１の弾性部材２０のクッション性が完全に失われることを抑制することができ、高い耐久性を実現することができる。
【００３３】
一方、スポンジは、高温環境下で常に力が掛っている状態で放置されると永久歪みを生じてしまうため、完全にクッション性が失われた状態に陥ってしまうおそれがある。そのため、ストロボ可動部５が発光位置にポップアップさせた状態で高温環境下に放置された状況が長く続いたときでも、第１の弾性部材２０に用いられるスポンジのクッション性が完全に失われないようにする必要がある。
【００３４】
そこで、本実施形態では、可動体であるストロボ前面側ケース１０に形成された第１の第１のストッパ部１０ａに最初に当接する第１の弾性部材２０に、柔らかい厚めのスポンジを使用して、衝突音の発生を抑制する。そして、第１の弾性部材２０がある程度潰れて衝撃を吸収した後、ストロボ前面側ケース１０と一体的に動くストロボ背面側ケース１１に形成された第２のストッパ部１１ｃを、第１の弾性部材２０より硬く、高温環境となっても弾性が変化しにくい（温度変化による弾性係数の変化が少ない）第２の弾性部材２１であるシリコンゴムに当接させる。これにより、第１の弾性部材２０に永久歪みが発生することを抑え、消音性能を維持することができると共に、オーバーストロークを少なくしてデジタルカメラの大型化を回避することができる。
【００３５】
なお、消音性能を高めることを目的として、第１の弾性部材２０のみによる衝撃吸収範囲を多く取る構成としてもよい。その場合、ストロボ可動部５が収納位置から発光位置へ移動する際に、慣性力によって発光位置を越えたときに第２のストッパ部１１ｃが第２の弾性部材２１に当接するように、ストロボ可動部５の停止位置よりも若干上方側に第２の弾性部材２１を配置すればよい。
【００３６】
＜第１の弾性部材２０と第２の弾性部材２１の位置関係＞
第１の弾性部材２０と第２の弾性部材２１の位置関係について説明する。図６は、引張りバネ２２の中央部でのストロボユニット９のｙ−ｚ断面図である。第１の弾性部材２０はストロボ可動部５の前面側（デジタルカメラ１の前面側）に配置され、第２の弾性部材２１はストロボ可動部５の背面側（デジタルカメラ１の背面側）に配置されている。引張りバネ２２はストロボ可動部５の背面側に配置されており、引張り方向の延長上に第２の弾性部材２１が配置されている。
【００３７】
第１の弾性部材２０よりも硬い第２の弾性部材２１を引張りバネ２２の近傍に配置することにより、第２の弾性部材２１は、引張り（上下）方向で可動するストロボ背面側ケース１１に設けられた第２のストッパ部１１ｃからの力を安定して受け止めることができる。なお、仮に、ストロボ可動部５の前面側に硬い弾性部材を配置した場合、図６中の矢印Ｄに示される回転方向の力が発生し、これにより弾性部材以外の部材同士（壁部やリブ同士）が衝突してしまい、衝突音や振動音を抑制する効果が小さくなる。
【００３８】
ところで、デジタルカメラ１では、レンズ部２が前面側に突出したワイドポジションにあるときにストロボ発光させた際にレンズ部２が被写体の影になり、所謂、ケラレが発生してしまうという問題を回避する必要がある。そのために、一般的に、本実施形態のように、発光部の位置（フレネルレンズ６の位置）をカメラ本体から遠ざけるようにポップアップさせる構造が取られている。
【００３９】
このとき、発光部をできるだけ前面側に配置することにより、ケラレの発生を効果的に抑制することができ、また、ポップアップ量を小さく設定することが可能になり、カメラ本体の小型化が可能になる。よって、ストロボ可動部５をカメラ本体のできる限り前面側に配置することが望ましく、背面側の空いたスペースにロックレバー８やロック解除の機構、引張りバネ２２を含めたポップアップに必要な機構を配置するようにする。その場合、ストロボ可動部５を発光位置で停止させる際の安定性を考慮すると、第２の弾性部材はストロボ可動部５の背面側に配置することが望ましいと言える。
【００４０】
《第２実施形態》
第１実施形態では、第１の弾性部材２０としてスポンジを用いたが、スポンジ等の低反発性の弾性部材は、低温環境下では硬くなる傾向があり、低温環境下での消音性能が低下するおそれがある。この問題に対処するため、第２実施形態では、第１の弾性部材２０を異なる材料からなる２層構造とする。
【００４１】
図７は、第２実施形態に係るデジタルカメラが備えるストロボユニットの略中央部におけるｙ−ｚ断面図であり、ストロボ可動部５のポップアップ中で第１のストッパ部１０ａが第１の弾性部材４１に当接している状態を示している。第１の弾性部材４１は、材質の異なる第１の層４１ａと第２の層４１ｂとを重ね合わせた構造となっている。第１のストッパ部１０ａが当接する第１の層４１ａには、第２の層４１ｂよりも弾性係数が小さく（つまり、反発力が小さく）、消音性能が高い材料（例えば、スポンジ等）が使用される。第２の層４１ｂには、消音性能は第１の層４１ａの材料より劣るが、低温環境下で消音性能の劣化が小さい材料（例えば、シリコンゴム等）が使用される。
【００４２】
ストロボ可動部５の背面側には、第１実施形態と同様に、第２の弾性部材２１が配置されており、第１のストッパ部１０ａが第１の弾性部材４１に当接して所定量変形した後に、第２のストッパ部１１ｃが第２の弾性部材２１に当接する。これにより、第１の層４１ａの変形量を一定領域に抑えることができ、繰り返し使用されたときに完全に潰れてクッション性が失われることのないようにすることができる。
【００４３】
また、第１実施形態と同様に、シリコンゴム等の温度変化に伴う弾性係数の変化が小さい材料を第２の弾性部材２１に使用することにより、高温環境下での第１の層４１ａの永久歪みの発生を抑え、消音性能を維持することができる。更に、低温環境下で第１の層４１ａが硬くなって消音性能が劣化しても、第２の層４１ｂは低温環境の影響を受け難いため、衝撃吸収材としての機能を維持することができ、これにより、消音性能を保持することができる。なお、第１の層４１ａと第２の層４１ｂの配置を入れ替えても、これらの効果を得ることができる。本実施形態では、第１の層４１ａと第２の層４１ｂとからなる２層構造としたが、同様の効果が得られる限りにおいて、層数に限定はない。
【００４４】
《第３実施形態》
第３実施形態では、収納位置と発光位置との間で回動移動させる回動タイプの発光装置について説明する。ここでも、発光装置はユニット化されているが、以下の説明では、ストロボ可動部の概略構造と、収納位置と発光位置の間でのストロボ可動部の動きに関係する部位についてのみ、説明を行うこととする。
【００４５】
図８は、第３実施形態に係るデジタルカメラが備えるストロボユニットの略中央部におけるｙ−ｚ断面図であり、図８（ａ）はストロボ可動部５０が収納位置にある状態を示しており、図８（ｂ）はストロボ可動部５０が発光位置にある状態を示している。
【００４６】
回動タイプのストロボ可動部５０は、バネ（不図示）により発光部が露出する方向に付勢されており、回動軸５０ａを中心として時計回りに回動して収納位置から発光位置へ移動する。被写体は図８の左側にあり、図８（ｂ）に示す発光位置において、ストロボ発光面５１が、被写体方向（光軸方向であるｚ方向）に対して略垂直となる。
【００４７】
第１のストッパ部５２、第２のストッパ部５３、第１の弾性部材５４及び第２の弾性部材５５の配置は図示の通りである。第１の弾性部材５４と第２の弾性部材５５はそれぞれ、デジタルカメラの上面側と底面側とに、回動軸５０ａを挟んで略対称となるように配置されている。また、第１の弾性部材５４及び第２の弾性部材５５にはそれぞれ、第１実施形態において第１の弾性部材２０及び第２の弾性部材２１として用いた材料と同じ材料が用いられる。即ち、第１の弾性部材５４には、第２の弾性部材５５よりも柔らかい材料が使用される。なお、第２実施形態と同様に、第１の弾性部材５４を２層構造としてもよい。
【００４８】
ストロボ可動部５０が、図８（ａ）の収納位置から図８（ｂ）の発光位置へ向けて回動すると、先ず、第１のストッパ部５２が第１の弾性部材５４に当接する。そして、第１の弾性部材５４の潰し量を増やしながらストロボ可動部５０は更に回動し、第２のストッパ部５３が第２の弾性部材５５に当接する。ストロボ可動部５０の回動時の慣性力により第２の弾性部材５５が若干潰された後、反発でストロボ可動部５０は逆方向に戻され、図８（ｂ）の発光位置で停止する。
【００４９】
このとき、第１の弾性部材５４と第２の弾性部材５５を、ストロボ可動部５０の回動軸５０ａに対して略対称となる位置に配置すると、回動軸５０ａの軸受け部に対する一方のストッパ部による衝撃方向と他方のストッパ部による衝撃方向とが逆になる。これにより、より効果的に消音性能を得ることができる。
【００５０】
また、本実施形態では、上記説明から明らかな通り、第１のストッパ部５２が第１の弾性部材５４に当接するまでのストロボ可動部５０の回動角度は、第２のストッパ部５３が第２の弾性部材５５に当接するまでのストロボ可動部５０の回動角度よりも小さい。更に、回動中心（回動軸５０ａ）と第１の弾性部材５４との距離が回動中心と第２の弾性部材５５との距離よりも短くなるように、第１の弾性部材５４と第２の弾性部材５５が配置されている。
【００５１】
回動中心と第１の弾性部材５４との距離を短くすることにより、第１のストッパ部５２が第１の弾性部材５４に当接してからストロボ可動部５０が停止位置に停止するまでの回動角度、つまり、第１の弾性部材５４の潰し量を大きく取ることができる。換言すれば、ストロボ可動部５０の減速領域を大きく取ることができる。したがって、衝突音や振動音を効果的に抑制することができる。一方、第２の弾性部材５４はストロボ発光面５１の角度を決める役割を担っているため、回動中心と第２の弾性部材５４との距離を長く取ることにより、ストロボ可動部５０の停止位置でのストロボ発光面５１の角度の精度を向上させることができる。
【００５２】
なお、ケラレを回避するためには、ストロボ発光面５１の位置を光軸からできるだけ離すことが好ましく、そのため、回動軸５０ａはカメラ本体の上面側に配置されることになる。これにより、回動軸５０ａの下側にはスペースが生まれ易い。逆に、カメラ本体の大型化を回避する観点から、回動軸５０ａの上側には、スペースの余裕はない。そのため、第２の弾性部材５５を回動中心から離して配置した方がよいことを踏まえて、第２の弾性部材５５を回動軸５０ａの下側に配置する構成は、望ましいものと言える。
【００５３】
以上の説明の通り、上記実施形態によれば、発光装置の可動部を収納位置から発光位置へ移動させたときに発生する衝突音や振動音等を低減することができる。そして、その効果は、撮像装置の使用環境温度の変化の影響を受け難いため、ユーザにとって快適な操作性が実現される。更に、撮像装置の省スペース化を実現することも可能になる。
【００５４】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。
【００５５】
例えば、上記実施形態では、上記説明から明らかな通り、発光装置をユニット化してカメラ本体に装備した構造としているため、例えば、第１実施形態では、第１のストッパ部１０ａ及び第２のストッパ部１１ｃは共に発光装置の構成要素となっている。これに対して、発光装置をユニット化せずに、第１のストッパ部１０ａ及び第２のストッパ部１１ｃをカメラ本体に設ける構造としてもよく、第２実施形態及び第３実施形態でも、同様の変更が可能である。
【００５６】
また、上記実施形態では、ストロボ可動部５を直進移動させる又は回動させる移動手段としてバネ部材を用いているが、移動手段にモータやギアなどを用いた構成であっても本発明は適用可能である。
【００５７】
また、上記実施形態では、発光部にキセノン管を用いているが、ＬＥＤなどの他の光源を発光部に用いた構成であっても本発明は適用可能である。
【符号の説明】
【００５８】
１    デジタルカメラ（撮像装置）
５    ストロボ可動部
８    ロックレバー
９    ストロボユニット
１０ａ，５２    第１のストッパ部
１１ｃ，５３    第２のストッパ部
２０，５４    第１の弾性部材
２１，５５    第２の弾性部材
２２    引張りバネ
４１ａ    （第１の弾性部材の）第１の層
４１ｂ    （第１の弾性部材の）第２の層
５０ａ    回動軸
【図１】
2014021269.tif 000003
【図２】
2014021269.tif 000004
【図３】
2014021269.tif 000005
【図４】
2014021269.tif 000006
【図５】
2014021269.tif 000007
【図６】
2014021269.tif 000008
【図７】
2014021269.tif 000009
【図８】
2014021269.tif 000010